(57)【特許請求の範囲】
【請求項１】
背上げ、膝上げ、高さ調整の機能のうちの少なくとも２つの機能を有する仰臥台に用いられる操作機であって、
上記機能を指示するための少なくとも２つの操作部と、
上記仰臥台の状態を表示するための表示部と、
指示された機能に応じた出力をすることによって、上記表示部での表示を制御する制御手段と
を備え、
上記操作部は、上記操作機の表面で機能別に上下方向に複数並べて設けられ、それぞれが機能相互で異なる少なくとも第１の色と第２の色とを有すると共に、それぞれの機能を識別する機能表示を有するものであり、
上記表示部は、上記操作機の表面の上端部に設けられ、上記仰臥台の状態表示を数値及び図で表示するものであり、
上記操作部によりいずれかの機能が指示されると、上記制御手段は、上記表示部の表示を指示された機能の状態表示に変化させると共に、上記表示部の背景色を、上記第１の色と上記第２の色とのうち上記指示した操作部の色と同じ色に変化させるものである
ことを特徴とする操作機。
【請求項２】
上記背景色は、液晶ディスプレーで構成された上記表示部のバックライト色で生成されている
ことを特徴とする請求項１に記載の操作機。
【請求項３】
背上げ、膝上げ、高さ調整の機能のうちの少なくとも２つの機能を有する仰臥台であって、
請求項１又は請求項２に記載の操作機を備えている
ことを特徴とする仰臥台。
【発明の詳細な説明】
【技術分野】
【０００１】
本発明は、一般に、操作機および仰臥台に関するものであり、より詳細には、背上げや膝上げ等を行うことができる仰臥台に用いられる操作機、およびその仰臥台に関するものである。
【背景技術】
【０００２】
ギャッチベッドと称される仰臥台は、背ボトムを起こすことで利用者の背上げを可能とし、膝ボトムを起こすことで利用者の膝上げを可能とする。この種の仰臥台の利用者は、介護を必要とする者であることが多いため、上記背上げや膝上げの動作を指示するための操作機は、要介護者が操作することを考慮して設計されなければならない。このため、操作機には、操作機を操作したことやその操作による仰臥台の動きを、表示することが望まれている。
【０００３】
ここで、従来、特許文献１にも示されているように、表示部が設けられた操作機を備えた電動式ベッドが存在する。この電動式ベッドは、背上げや膝上げを行った際、ベッドの背上げ角度などを数値化して表示部に表示する。
【先行技術文献】
【特許文献】
【０００４】
【特許文献１】特開平１１−２９０３９５号公報
【発明の概要】
【発明が解決しようとする課題】
【０００５】
しかし、上記表示部には、単色のセグメント型液晶ディスプレーが用いられている。このため、表示部は背上げ角度を数値で表示するほかはなく、利用者は、角度の数値表示のみでは、現在の状態がどういう状態であるのかが分かりにくい。
【０００６】
また、従来の操作機では、利用者がある指示を行った時、その指示が意図していたものであるか、あるいは現在行われている動作が上記指示に従ったものであるかどうかを利用者が判別することは困難である。
【０００７】
本発明は上記問題に鑑みてなされたもので、指示した操作に応じた動作を適切に且つ的確に表示することで利用者の使用感の向上を図った操作機および仰臥台を提供することを課題とする。
【課題を解決するための手段】
【０００８】
本発明の操作機は、背上げ、膝上げ、高さ調整の機能のうちの少なくとも２つの機能を有する仰臥台に用いられる操作機であって、上記機能を指示するための少なくとも２つの操作部と、上記仰臥台の状態を表示するための表示部と、指示された機能に応じた出力をすることによって、上記表示部での表示を制御する制御手段とを備え、上記操作部は、上記操作機の表面で機能別に上下方向に複数並べて設けられ、それぞれが機能相互で異なる少なくとも第１の色と第２の色とを有すると共に、それぞれの機能を識別する機能表示を有するものであり、上記表示部は、上記操作機の表面の上端部に設けられ、上記仰臥台の状態表示を数値及び図で表示するものであり、上記操作部によりいずれかの機能が指示されると、上記制御手段は、上記表示部の表示を指示された機能の状態表示に変化させると共に、上記表示部の背景色を、上記第１の色と上記第２の色とのうち上記指示した操作部の色と同じ色に変化させるものであることを特徴とする。
また、この操作機において、上記背景色は、液晶ディスプレーで構成された上記表示部のバックライト色で生成されていることが好ましい。
【０００９】
また、本発明の仰臥台は、背上げ、膝上げ、高さ調整の機能のうちの少なくとも１つの機能を有する仰臥台であって、上述の操作機を備えていることを特徴とする。
【発明の効果】
【００１０】
本発明の操作機および仰臥台によれば、指示した操作に応じた動作を適切に且つ的確に表示することで利用者の使用感の向上を図ることができる。
【図面の簡単な説明】
【００１１】
【図１】図１Ａは、本実施形態の操作機の正面図である。図１Ｂは、本実施形態の操作機の左側面図である。図１Ｃは本実施形態の操作機の右側面図である。
【図２】本実施形態の操作機の表示の一例を示す部分正面図である。
【図３】図３Ａ，図３Ｂは本実施形態の操作機の表示の他例を示す部分正面図である。
【図４】図４Ａ，図４Ｂは本実施形態の操作機の表示の他例を示す部分正面図である。
【図５】図５Ａ，図５Ｂは本実施形態の操作機の表示の他例を示す部分正面図である。
【図６】図６Ａ，図６Ｂ，図６Ｃは本実施形態の操作機の表示の他例を示す部分正面図である。
【図７】本実施形態の操作機の表示の他例を示す部分正面図である。
【図８】本実施形態の操作機の表示の他例を示す部分正面図である。
【図９】本実施形態の操作機の表示の他例を示す部分正面図である。
【図１０】図１０Ａ，図１０Ｂは本実施形態の操作機の表示の他例を示す部分正面図である。
【図１１】図１１Ａ，図１１Ｂは本実施形態の操作機の表示の他例を示す部分正面図である。
【図１２】本実施形態の操作機の表示の他例を示す部分正面図である。
【図１３】本実施形態の操作機の表示の他例を示す部分正面図である。
【図１４】本実施形態の仰臥台の斜視図である。
【発明を実施するための形態】
【００１２】
本発明に係る一実施形態について説明する。図１は本実施形態の操作機１を示している。この操作機１は、ギャッチベッドと称される仰臥台８に用いられる。この仰臥台８は、背ボトムを起こすことによる背上げ（背上げ機能）と、膝ボトムを起こすことによる利用者の膝上げ（膝上げ機能）と、上下に動かすことによる高さ調整（高さ調整機能）とを行うことができる。なお、上記高さ調整は、頭部側と底部側との高さを異ならせて傾斜を持たせることができるものをここでは対象としている。これら背上げや膝上げや高さ調整の機構については、操作機１の操作によって、例えば電動で上記動きを行わせることができるものであれば、どのような機構であってもよいことから、詳細については説明を省略する。
【００１３】
本実施形態の仰臥台８は、図１４に示すように、ボトム板８１と、ボトム板８１上に設けられたマットレス８２と、ボトム板８１を駆動させる駆動部８３とを備える。ボトム板８１は、背ボトム８４と、腰ボトム８８と、膝ボトム８５とを備える。腰ボトム８８はフレームに固定されている。背ボトム８４と腰ボトム８８とは、回動自在に連結される。腰ボトム８８と膝ボトム８５とは、回転自在に連結される。背ボトム８４は、水平な状態と、先端に向かうほど上方に位置するように傾斜した状態とに、姿勢を変化させる。利用者は、背ボトム８４が傾斜した状態において、背上げを行う。本実施形態の仰臥台８において、この背上げを行う機能を背上げ機能として定義する。
【００１４】
膝ボトム８５は、第１の膝ボトム８６と第２の膝ボトム８７とを備える。第１の膝ボトム８６と第２の膝ボトム８７とは回転自在に連結される。膝ボトム８５は、平坦な状態と、山形に起立した状態とに姿勢を変化させる。利用者は、膝ボトム８５が山形に起立した状態において、膝上げを行う。本実施形態の仰臥台８において、この膝上げを行う機能を膝上げ機能として定義する。
【００１５】
駆動部８３は、背ボトム８４と膝ボトム８５とを駆動させる第１の駆動部と、ボトム板を上昇または下降させる第２の駆動部とを備える。第１の駆動部は、背ボトム８４を水平な状態と、傾斜した状態との間で駆動させる。第２の駆動部は、ボトム板８１の状態を保ったまま上昇または下降するように駆動させる。本実施形態の仰臥台８において、このボトム板８１の状態を保ったまま、ボトム板８１を上昇または下降させる機能を高さ調整機能と定義する。
【００１６】
なお、本実施形態の仰臥台８は、背上げ機能と、膝上げ機能と、高さ調整機能とを、必ずしも全て備える必要はない。仰臥台８は、背上げ機能と、膝上げ機能と、高さ調整機能とのうちの少なくとも１つの機能を有していればよい。
【００１７】
上記操作機１は、図１に示すように、表面に複数の操作部３，４，５，６が並べられ、上端部に表示部２が設けられている。操作機１は、左側面（第１の側面１１）には昇降設定に関する「上限」「下限」「メモリ」及び「リセット」のためのスイッチ７１〜７４を備えている。また、操作機１は、右側面（第２の側面１２）には詳細設定に関する「電源」「速さ」「操作音」等のためのスイッチ７５〜７８を備えている。なお、第２の側面１２は、第１の側面１１とは反対側の側面である。
【００１８】
上記操作部３，４，５，６のうち、操作部６は上記高さ調整を指示するためのものである。また、操作部５は、膝上げに関する指示のためのものである。また、操作部４は背上げを指示するためのものである。さらに操作部３は、上記背上げ及び膝上げを行った状態で高さ調整のための機構を利用して前後に揺らす（図３参照）ためのものである。ここでは便宜上、操作部３を揺りかご用操作部、操作部４を頭用操作部、操作部５を足用操作部、操作部６を高さ用操作部として定義する。また、図１に示すように、各操作部３，４，５には、それぞれの機能を識別する機能表示が付されている。各操作部３，４，５に付された文字および図形のそれぞれを機能表示とする。そして、上記各操作部３〜６には個別の色を夫々付してある。
【００１９】
すなわち、操作部３には第１の色が付され、操作部４には第２の色が付され、操作部５には第３の色が付され、操作部６には第４の色が付されている。第１の色と、第２の色と、第３の色と、第４の色とは、相互に異なる色である。
【００２０】
操作機１の表面上端部に配した表示部２は、ドットマトリクス型ディスプレーの１つであるアクティブマトリクス型カラー液晶ディスプレーデバイスで構成されている。この表示部２は、操作機１に内蔵されており、上記各操作部３〜６及びスイッチ７１〜７８が接続された制御手段（図示せず）からの出力に応じて表示を行う。制御手段は、１チップマイクロコンピュータで構成される。以下に説明する表示部２での表示は、すべてこの制御手段による出力で行われる。すなわち、表示部２は、制御手段により制御される。
【００２１】
まず、操作部３〜６を操作していない状態では、図２に示すように、制御手段は、表示部２に、背上げの角度、膝上げの角度、高さを夫々数値で表示させ、これと同時に、角度及び高さに応じた図を表示させる。そして、制御手段は、背景色としては白を点灯させる。
【００２２】
橙色に形成された（橙色が付された）揺りかご操作部３を操作している時には、図３に示すように、制御手段は、表示部２に揺りかご操作部３が操作されていることを表示させるだけでなく、その背景色を揺りかご操作部３と同じ色の橙色に変化させる。さらに、制御手段は、操作部３の操作で変更される角度や高さの表示を、変更しないときの表示よりも大きく表示させる。また、このとき、操作部３の操作で変更される角度や高さの数値も変化させ、図表示も連動して変化させる。
【００２３】
青色に形成された（青色が付された）頭操作部４を操作している時には、図４に示すように、制御手段は、その操作内容を文字で表示させると同時に背景色も青色に変化させる。さらに、制御手段は、頭操作部４の操作で変更されている背上げの角度数値を、変更しないときの表示よりも大きく表示された状態で変化させる。また、制御手段は、図表示も背上げの角度数値の変化に連動して変化させる。また、頭操作部４を操作している時には、膝上げに関する角度表示を消してしまうことで、背上げに関する操作中であることをより明確にする。すなわち、制御手段は、背上げの機能が指示されると、膝上げの状態表示を消灯させる。
【００２４】
緑色に形成された（緑色が付された）足操作部５を操作している時には、図５に示すように、制御手段は、その操作内容を文字で表示させると同時に背景色も緑色に変化させる。さらに、制御手段は、足操作部５の操作で変更されている膝上げの角度数値を、変更しないときの表示よりも大きく表示された状態で変化させる。また、図表示も膝上げの角度数値の変化に連動して変化させる。また、足操作部５を操作している時には、背上げに関する角度表示は消してしまうことで、膝上げに関する操作中であることをより明確にする。すなわち、制御手段は、膝上げの機能を指示されると、背上げの状態表示を消灯させる。
【００２５】
朱色に形成された（朱色が付された）高さ操作部６を操作している時には、図６に示すように、制御手段は、その操作内容を文字で表示させると同時に背景色も朱色に変化させる。制御手段は、高さ操作部６の操作で変更されている高さ数値を、変更しないときの表示よりも大きく表示された状態で変化させる。また、制御手段は、図表示も、高さ数値の変化に連動して変化する。また、背上げ及び膝上げに関する角度表示は消してしまうことで、高さに関する操作中であることをより明確にする。すなわち、制御手段は、高さ調整の機能が指示されると、膝上げの状態表示と背上げの状態表示とを消灯させる。
【００２６】
図６Ｃは高さが所定高さ以下となった時には、「はさみ込み注意」の注記表示を行うことを示している。なお、「はさみこみ注意」の注記表示は、操作部３〜６を操作していない時にも、図７に示すように、白色の背景表示のままで継続する。
【００２７】
なお、表示部２としてカラー液晶を用いていることから、背景色も液晶による色として表示してもよいが、バックライトの色を変更することで背景色を切り替えるようにしてもよい。
【００２８】
図８は電源遮断があった後の復帰時における注意喚起表示を示しており、必要となる操作の内容を赤色背景のもので大きく表示する。
【００２９】
図９は速さのスイッチ７６を操作した場合の表示部２の表示を示しており、設定速度にあわせて、速い（または普通）と文字表示を行うと同時に、下部に表示された図表示よりも大きく図表示も行う。表示部２の下部にある常時表示の速度設定についての図も、設定された速度に合わせて変化する。
【００３０】
図１０は操作音のスイッチ７７を操作した時の表示部２の表示を示しており、オンオフを文字表示すると同時に、オンであるかオフであるかを下部に表示された図表示よりも大きく図表示する。なお、オフ時には表示部２の下部にある操作音表示は消灯する。
【００３１】
高さ調整の上限及び下限の設定用のスイッチ７１，７２を操作した時には、図１１に示すように、上限設定（下限設定）したか、解除したかを大きく文字表示すると同時に、表示部下部の上限・下限設定表示を点灯もしくは消灯する。
【００３２】
背上げの角度や膝上げの角度をメモリするためにスイッチ７３を操作した時には、図１２に示すように、朱色を背景色とした状態で角度表示を行う。また、下部のメモリ表示は設定中だけ点滅し、設定後は点灯する。
【００３３】
図１３は背上げ角度注意表示を行っている状態を示しており、朱色を背景色とした状態でエラー表示（例えば、Ｕ２０）を表示すると同時に、「頭を下げてください」の表示を行い、さらには操作すべき頭操作部４を表示する。
【００３４】
以上説明したように、本実施形態の操作機１は、以下の第１の特徴を有する。
【００３５】
第１の特徴では、操作機１は、背上げ、膝上げ、高さ調整の機能のうちの少なくとも１つの機能を有する仰臥台８に用いられる。操作機１は、機能を指示するための操作部と、仰臥台８の状態を表示するための表示部２とを備える。表示部２は、ドットマトリクス型ディスプレーを含み、仰臥台８の状態表示を数値及び図で表示する。
【００３６】
また、本実施形態の操作機１は、別の特徴として、以下の第２の特徴を有する。
【００３７】
第２の特徴では、操作機１は、背上げ、膝上げ、高さ調整の機能のうちの少なくとも２つの機能を有する仰臥台８に用いられる。操作機１は、上記機能を指示するための操作部と、仰臥台８の状態を表示するための表示部とを備える。操作機１は、機能別に複数設けられた操作部には色が付されている。表示部２は、操作部が操作されると、その背景色を、操作された上記操作部の色と同色とするよう変化する。
【００３８】
また、本実施形態の操作機１は、以下の第３〜第５の特徴を有していてもよい。なお、第３〜第５の特徴は任意の特徴である。
【００３９】
第３の特徴では、第１の特徴において、背景色は、液晶ディスプレーで構成された上記表示部２のバックライト色で生成されている。
【００４０】
第４の特徴では、第１の特徴において、操作機１は、背上げ及び膝上げの機能を有する仰臥台８に用いられる。操作機１は、背上げの機能を指示すると、膝上げの状態表示を消灯させる。
【００４１】
第５の特徴では、第１の特徴において、操作機１は、背上げ及び膝上げの機能を有する仰臥台８に用いられる。操作機１は、膝上げの機能を指示すると、背上げの状態表示を消灯させる。
【００４２】
また、本実施形態の仰臥台８は、以下の特徴を有する。
【００４３】
仰臥台８は背上げ、膝上げ、高さ調整の機能のうちの少なくとも１つの機能を有する。仰臥台８は、第１の特徴〜第５の特徴のうちのいずれか１つを有する操作機１を備える。
【００４４】
本実施形態の操作機１の表示部２は、液晶ディスプレーではなく、有機ＥＬマトリクスディスプレーを用いてもよいのはもちろんである。表示部２にドットマトリクスデバイスを用いているために、単に数値を表示するだけでなく、必要とする数値を大きく表示したり、操作によって変更している角度や高さを拡大した図で表示したり、目立つ色を付して
表示することも任意に行うことができることから、利用者は行っている操作が何に関するものであるかを的確に認識することができる。
【００４５】
なお、ここではカラー液晶を用いた例を示したが、モノクロ液晶であってもよく、この場合、背景色の変更はバックライトの色の変更で行えばよい。また、背景色の変更に関しては、表示部２はセグメント表示デバイスであってもよい。
【符号の説明】
【００４６】
１      操作機
２      表示部
３，４，５，６      操作部
８      仰臥台
【図１】
0006344458.tif 000002
【図２】
0006344458.tif 000003
【図３】
0006344458.tif 000004
【図４】
0006344458.tif 000005
【図５】
0006344458.tif 000006
【図６】
0006344458.tif 000007
【図７】
0006344458.tif 000008
【図８】
0006344458.tif 000009
【図９】
0006344458.tif 000010
【図１０】
0006344458.tif 000011
【図１１】
0006344458.tif 000012
【図１２】
0006344458.tif 000013
【図１３】
0006344458.tif 000014
【図１４】
0006344458.tif 000015